(57)【要約】【課題】様々なカードやタグを用いることができるとともに、不正使用されることのない電子チケットシステムを提供すること。【解決手段】サーバは、メンバープラットホーム、メンバーデータベース、チケットプラットホーム及びチケットデータベースを備える。メンバーデータベースは、複数のメンバーのアカウント情報及び各アカウントに対応する特性コードを記憶する。チケットプラットホームは、各タイプのチケットの販売と認証の機能を提供する。チケットデータベースは、複数のチケットのチケット情報及び各チケットに対応する特性コードを記憶する。各サービスユニットは、チケット確認装置を用いて、メンバーによって提供された特性コードキャリアの特性コード読み取り、それをサーバに送信して、チケットデータベースに記憶されたチケット情報及び特性コードと照合する。さらに、認証結果を警告装置に表示させることで、チケットに対応するサービスを提供するべきかどうかを判断する。【選択図】図２
2013105487.tif 000002
【特許請求の範囲】
【請求項１】
電子チケットシステムであって、
アカウントの作成及び管理機能を提供するメンバープラットホーム、複数のメンバーのアカウント情報及び各アカウントに対応する特性コードを記憶するために用いられるメンバーデータベース、各タイプのチケットの予約及び認証機能を提供するチケットプラットホーム及び複数のチケットのチケット情報及び各チケットに対応する特性コードを記憶するために用いられるチケットデータベースを備えるサーバと、
各チケットに対応するサービスを提供し、ネットワークを経由して前記サーバに接続された、特性コードリーダ及び警告装置を含む少なくとも１台のチケット確認装置をそれぞれが備える複数のサービスユニットと、
各アカウントに対応する、それぞれが特性コードを備える複数の特性コードキャリアと、を備え、
前記メンバーが前記チケットを前記チケットプラットホームにおいて購入してから、前記チケットと前記メンバーに対応する前記特性コードとの関係が前記チケットプラットホームによって前記チケットデータベースに作成され、前記メンバーは、前記特性コードキャリアを前記サーバユニットまで携帯し、前記チケット確認装置の前記特性コードリーダによって読み取られる特性コードキャリアに記憶される前記特性コードを有し、前記特性コードは、前記チケット確認装置によって前記サーバに送信され、前記チケットデータベースに記憶された前記チケット情報及び特性コードと照合され、前記チケットに対応する前記サービスが、前記警告装置に表示された認証結果に従って交換される電子チケットシステム。
【請求項２】
前記チケットには、買い物引換券、引き換え証書、クーポン、交通チケット、アクティビティチケット、スポーツチケット、映画チケット、コンサートチケット、パフォーマンスチケット、展覧会チケット、ギルドホールチケット、遊園地チケット、入場チケット、招待券、食品引換券、生活必需品の引換券のうちのひとつが選択される請求項１に係る電子チケットシステム。
【請求項３】
前記サービスユニットには、店舗、鉄道／バスステーション、ドック、空港、映画館、コンサートホール、パフォーマンスホール、展覧会ホール、ギルドホール、遊園地、カンファレンスホール又はその組み合わせのうちのひとつが選択される請求項１に係る電子チケットシステム。
【請求項４】
前記チケット情報には、チケットの名前、会社名、サービスユニットの名前、交換する商品、交換可能な量、有効期限、日時、セッション、実行回数、所在地、座席、出発地及び目的地、チェックイン時間、チェックアウト時間又はその組み合わせのうちのひとつが選択される請求項１に係る電子チケットシステム。
【請求項５】
前記チケットの前記チケット情報は、前記メンバーが前記チケットプラットホームにおいてチケット購入の手続きを完了させた後で、前記チケットプラットホームが、ショートメッセージ、電子メール、投稿メッセージ、印刷及びその組み合わせのうちのひとつを用いて対応するメンバーに送信する請求項１に係る電子チケットシステム。
【請求項６】
前記チケット確認装置の前記警告装置には、サウンド警告装置、ライト警告装置、ディスプレイ又はその組み合わせのうちのひとつが選択される請求項１に係る電子チケットシステム。
【請求項７】
前記特性コードキャリアには、ＩＣカード、無線自動識別（ＲＦＩＤ）カード、ＲＦＩＤタグ、バーコード、２次元バーコード、クイックレスポンスコード、磁気ストライプカード、身分証明書、保険証、イージーカード（Ｅａｓｙｃａｒｄ）、アイキャッシュ（ｉＣｈａｓｈ）、台湾スマートカード、オールインワンカード、クレジットカード、デビットカード、キャッシュカード、交通カード、オクトパス（Ｏｃｔｏｐｕｓ）カード、メンバーカード又はその組み合わせのうちのひとつが選択され、前記特性コードリーダには、ＩＣカードリーダ、ＲＦＩＤタグリーダ、バーコードリーダ、２次元バーコードリーダ、クイックレスポンスコードリーダ、磁気ストライプカードリーダ又はその組み合わせのうちのひとつが選択される請求項１に係る電子チケットシステム。
【請求項８】
ユーザは、情報装置を用いて前記ネットワークを経由して前記サーバに接続することができ、前記メンバープラットホームにおいてメンバーアカウントを作成することができる請求項１に係る電子チケットシステム。
【請求項９】
前記ネットワークを経由して前記サーバに接続する少なくとも１台の特性コードレジスタをさらに備え、当該特性コードレジスタは、特性コードリーダ及びキーボードを備える請求項１に係る電子チケットシステム。
【請求項１０】
前記特性コードレジスタは、前記チケット確認装置に統合される請求項９に係る電子チケットシステム。
【請求項１１】
ユーザが、国民識別番号、パスポート番号、電話番号、携帯電話番号、電子メールアドレス、会社登記番号、ユーザ定義アカウント、特定アカウント、バーコード又はその組み合わせのうちのひとつが選択されるメンバーコードを用いて、前記メンバープラットホームにアカウントを作成し、当該アカウントが作成されると、前記メンバープラットホームがショートメッセージ、電子メール、投稿メッセージ、印刷、音声又はその組み合わせのうちのひとつを用いて当該アカウントのパスワードを前記メンバーに送信する請求項１に係る電子チケットシステム。
【請求項１２】
特定の条件を満たすメンバーに対して、前記チケットプラットホームが特定のチケットを自動的に発行できる請求項１に係る電子チケットシステム。
【発明の詳細な説明】
【技術分野】
【０００１】
本発明は、電子チケットシステムに関し、特に、様々なカードやタグを用いることができるとともに、不正使用されることのない電子チケットシステムに関する。
【背景技術】
【０００２】
インターネットの継続的な普及とともに、ネットワークを経由して多くの品物やサービスを注文することができる。しかしながら、現行の発券システムではまだ、忙しいユーザを苦痛から解放することはない。
【０００３】
図１を参照すると、従来型発券システムを示す図が示されている。従来技術による発券システム１０では、ユーザは、コンピュータ１６を用いてネットワーク１４を経由してサーバ１２に接続する。チケット予約ウェブサイト１２１に入ってからチケットを予約し購入することができる。チケットを予約する時には一般にユーザＩＤを識別するために識別番号が要求される。チケット予約及び支払いが完了してから、購入者及びチケットの情報がサーバ１２によってデータベース１２３に記憶される。その後、チケットの購入者は、購入したチケットを受け取るために記載された期限内にサーバ１２に接続されているチケット受取場所１８に出向き、チケット情報とＩＤカードを提示しなければならない。そして、購入したチケットは、対応するサービス提供ユニット１９でサービスと交換される。
【０００４】
そのような発券システム１０によってユーザは、チケットを購入するために列に並ぶ苦痛からは解放されるが、ユーザにとっては、インターネットでチケットを予約してからチケットを受け取るためにチケット受取場所１８に出向かなければならないのは依然として不便である。
【０００５】
会社によっては、発券システムを携帯電話と組み合わせているところがある。このシステムでは、チケット予約がネットワーク上で完了してから電子チケットをチケット購入者の携帯電話に送信する。チケット購入者が、サービス提供ユニットに出向くと受け取った携帯電話上にある電子チケットを提示することで対応するサービスと交換することができる。
【０００６】
この発券システムでは、電子チケットがコピーされたり転送されたり盗まれたりすることを防止するために、電子チケットの特殊な暗号化又は特別なデータ形式を用いなければならない。それに応じて、電子チケットを携帯電話のスクリーン上に首尾よく表示させるためには、チケット購入者の携帯電話に対応する復号化プログラムをインストールしなければならない。現在、ユーザによって特定のプログラムを容易にインストールすることができるのは、スマートフォンだけである。スマートフォンは高価な製品であり全ての人が持てるものではないため、そのような要件によって当該システムの普及は著しく制限されている。
【０００７】
さらに、上記発券システムでは、万が一チケットを紛失した場合、携帯電話における電子チケットであろうが、紙のチケットであろうが、あるいは、カードであろうが、不正使用される可能性がある。そして、可能な改善措置は、非常に時間のかかる困難なものである。
【発明の概要】
【発明が解決しようとする課題】
【０００８】
本発明の目的は、電子チケットシステムを提供することであり、特に、様々なカードやタグを用いることができるとともに、不正使用されることのない電子チケットシステムを提供することである。
【０００９】
本発明の他の目的は、サーバに、チケットプラットホーム及びチケットデータベースが設けられる電子チケットシステムを提供することである。特性コードを用いて、メンバーＩＤを認証する。メンバーは、チケットを購入してから特性コードキャリアをサービスユニットに持って行き、チケットが確認されてから対応するサービスと交換する。
【００１０】
本発明の他の目的は、メンバーが特性コードキャリアを提供し、特性コードキャリアに記憶された特性コードをシステムに登録する電子チケットシステムを提供することである。そして、ユーザは、チケットの購入毎に、サービスと交換するために対応するサービスステーションに対して前記特性コードキャリアを用いることができる。
【００１１】
本発明の他の目的は、各サービスユニットの前記チケット確認装置がサーバに接続され、前記チケットデータベースに記憶されたチケット情報及び特性コードに従ってチケットを確認することができる電子チケットシステムを提供することである。
【課題を解決するための手段】
【００１２】
本発明の電子チケットシステムは、アカウントの作成及び管理機能を提供するメンバープラットホーム、複数のメンバーのアカウント情報及び各アカウントに対応する特性コードを記憶するために用いられるメンバーデータベース、各タイプのチケットの予約や認証の機能を提供するチケットプラットホーム及び複数のチケットのチケット情報及び各チケットに対応する特性コードを記憶するために用いられるチケットデータベースを備えるサーバと、各チケットに対応するサービスを提供し、ネットワークを経由して前記サーバに接続された、特性コードリーダ及び警告装置を含む少なくとも１台のチケット確認装置を備える複数のサービスユニットと、各アカウントに対応し、それぞれ特性コードを備える複数の特性コードキャリアと、を備え、前記メンバーが前記チケットを前記チケットプラットホームにおいて購入してから前記チケットと前記メンバーに対応する前記特性コードとの関係が前記チケットプラットホームによって前記チケットデータベースに作成され、前記メンバーは、前記特性コードキャリアを前記サーバユニットまで携帯し、前記チケット確認装置の前記特性コードリーダによって読み取られる前記特性コードキャリアに記憶された前記特性コードを有し、前記特性コードは、前記チケット確認装置によって前記サーバに送信され、前記チケットデータベースに記憶された前記チケット情報及び特性コードと照合され、前記チケットに対応する前記サービスが、前記警告装置に表示された認証結果に従って交換される電子チケットシステムである。
【００１３】
本発明の一実施形態では、前記チケットには、買い物引換券、引き換え証書、クーポン、交通チケット、アクティビティチケット、スポーツチケット、映画チケット、コンサートチケット、パフォーマンスチケット、展覧会チケット、ギルドホールチケット、遊園地チケット、入場チケット、招待券、食品引換券、生活必需品の引換券のうちのひとつが選択される。
【００１４】
本発明の一実施形態では、前記サービスユニットには、店舗、鉄道／バスステーション、ドック、空港、映画館、コンサートホール、パフォーマンスホール、展覧会ホール、ギルドホール、遊園地、カンファレンスホール又はその組み合わせのうちのひとつが選択される。
【００１５】
本発明の一実施形態では、前記チケット情報には、チケットの名前、会社名、サービスユニットの名前、交換する商品、交換可能な量、有効期限、日時、セッション、実行回数、所在地、座席、出発地及び目的地、チェックイン時間、チェックアウト時間又はその組み合わせのうちのひとつが選択される。
【００１６】
本発明の一実施形態では、前記チケットの前記チケット情報は、メンバーが前記チケットプラットホームにおいてチケット購入の手続きを完了させた後で、前記チケットプラットホームが、ショートメッセージ、電子メール、投稿メッセージ、印刷及びその組み合わせのうちのひとつを用いて対応するメンバーに送信する。
【００１７】
本発明の一実施形態では、前記チケット確認装置の前記警告装置には、サウンド警告装置、ライト警告装置、ディスプレイ又はその組み合わせのうちのひとつが選択される。
【００１８】
本発明の一実施形態では、前記特性コードキャリアには、ＩＣカード、無線自動識別（ＲＦＩＤ）カード、ＲＦＩＤタグ、バーコード、２次元バーコード、クイックレスポンスコード、磁気ストライプカード又はその組み合わせのうちのひとつが選択される。
【００１９】
本発明の一実施形態では、前記特性コードリーダには、ＩＣカードリーダ、ＲＦＩＤタグリーダ、バーコードリーダ、２次元バーコードリーダ、クイックレスポンスコードリーダ、磁気ストライプカードリーダ又はその組み合わせのうちのひとつが選択される。
【００２０】
本発明の一実施形態では、ユーザは、情報装置を用いて前記ネットワークを経由して前記サーバに接続することができ、前記メンバープラットホームにおいてメンバーアカウントを作成することができる。
【００２１】
本発明の一実施形態では、前記ネットワークを経由して前記サーバに接続され、特性コードリーダ及びキーボードを備える少なくとも１台の特性コードレジスタをさらに備える。
【００２２】
本発明の一実施形態では、前記特性コードレジスタは、前記チケット確認装置に統合される。
【００２３】
本発明の一実施形態では、ユーザが前記メンバープラットホームにおいてアカウントを作成するために用いたメンバーコードには、国民識別番号、パスポート番号、電話番号、携帯電話番号、電子メールアドレス、会社登記番号、ユーザ定義アカウント、特定アカウント、バーコード及びその組み合わせのうちのひとつが選択される。
【００２４】
本発明の一実施形態では、前記アカウントを作成すると、前記アカウントのパスワードが、前記メンバープラットホームによって、ショートメッセージ、電子メール、投稿メッセージ、印刷、音声又はその組み合わせのうちのひとつを用いて前記メンバーに送信される。
【００２５】
本発明の一実施形態では、前記特性コードキャリアには、身分証明書、保険証、イージーカード（Ｅａｓｙｃａｒｄ）、アイキャッシュ（ｉＣａｓｈ）、台湾スマートカード、オールインワンカード、クレジットカード、デビットカード、キャッシュカード、交通カード、オクトパス（Ｏｃｔｏｐｕｓ）カード及びメンバーカードのうちのひとつが選択される。
【００２６】
本発明の一実施形態では、特定の条件を満たすメンバーに対して特定のチケットを前記チケットプラットホームによって自動的に発行することができる。
【図面の簡単な説明】
【００２７】
【図１】図１は、従来型発券システムを説明する図である。
【図２】図２は、本発明の一実施形態を説明する図である。
【発明を実施するための形態】
【００２８】
図２を参照すると、本発明の一実施形態に係る電子チケットシステムを説明する図が示されている。この図に示したように、本発明の電子チケットシステム２０は、サーバ２２と、複数のサービスユニット２５，２６と、複数の特性コードキャリア２９を含む。
【００２９】
様々なカード又はタグには、ＩＣカード、無線自動識別カード（ＲＦＩＤカード）又は他のタイプのＲＦＩＤタグ、バーコード、２次元バーコード、クイックレスポンスコード（ＱＲコード（登録商標））及び磁気ストライプカードなどの一意の特性コードが含まれるので、本発明では、ユーザ自身が所有するカード又はタグを特性コードキャリア２９として用いることが可能となる。特性コードキャリア２９に記憶された特性コードは、メンバーであることを素早く識別する根拠としての役割を果たす。もちろん、メンバーが要求すれば、システム又は店舗によって新しい特性コードキャリア２９を提供することも可能である。
【００３０】
本発明のサーバ２２は、メンバープラットホーム２２１、メンバーデータベース２２３、チケットプラットホーム２２５及びチケットデータベース２２７を備える。メンバーデータベース２２３は、各メンバーのアカウント情報及び各メンバーアカウントに対応する特性コードを記憶するために用いられる。メンバープラットホーム２２１は、メンバーアカウントの作成及び管理機能を提供する。チケットデータベース２２７は、各チケットのチケット情報及び対応する特性コードを記憶するために用いられる。チケットプラットホーム２２５は、各タイプのチケットの販売及び認証機能を提供する。
【００３１】
各サービスユニット２５，２６は、少なくとも１台のチケット確認装置２５１，２６１をそれぞれ備える。各チケット確認装置２５１，２６１は、特性コードリーダ２５３，２６３及び警告装置２５５，２６５をそれぞれ含む。各チケット確認装置２５１，２６１は、ネットワーク２４を経由してサーバ２２に接続される。
【００３２】
メンバーは、情報装置２８を用いて、ネットワークを経由してサーバ２２に接続することができ、チケットプラットホーム２２５における要求に応じて、チケットを受け取り購入することができる。あるいは、本発明の電子チケットシステム２０を有するサービスステーションに出向いてチケットを購入することができる。チケットプラットホーム２２５は、チケットを購入してから購入したチケットに対応したチケット情報のメンバーに対応する特性コードをチケットデータベース２２７に記憶する、あるいは、チケットとメンバーに対応する特性コードとの関係を作成する。
【００３３】
メンバーは、チケットを予約してから特性コードキャリア２９を対応するサービスユニット２５，２６まで携帯する。特性コードキャリア２９の特性コードは、チケット確認装置２５１，２６１の特性コードリーダ２５３，２６３によって読み取られ、チケットの確認のためにサーバ２２に送信される。チケットプラットホーム２２５は、特性コードをチケットデータベース２２７のチケット情報と照らし合わせる。特性コードが正しいと認証された場合、正しいことを示す信号が警告装置２５５，２６５に表示され、対応するサービスと交換することができる。特性コードが正しくないと認証される、あるいは、サービスが塞がっている場合、エラー又は塞がっていることを示す信号が警告装置２５５，２６５に表示され、サービスは交換することができない。
【００３４】
本発明の電子チケットシステム２０は、以下のチケットに適用することができる。つまり、買い物引換券、引き換え証書、クーポン、交通チケット、アクティビティチケット、スポーツチケット、映画チケット、コンサートチケット、パフォーマンスチケット、展覧会チケット、ギルドホールチケット、遊園地チケット、入場チケット、招待券、食品引換券、生活必需品の引換券などであるが、これらに限定されるものではない。チケットの多くは、チケットプラットホーム２２５を介してメンバーによって購入され、チケット情報とメンバーに対応する特性コードとの関係が、チケットデータベース２２７に作成される。あるいは、メンバーに対応する特性コードが、チケットのチケット情報に直接記憶される。
【００３５】
当該システムでは、チケットの一部に特別な条件を設定することができる。メンバーがその条件を満たすと、特定のチケットがメンバーに自動的に送信される。この場合、特定の条件は、メンバーの誕生日、消費量、職業などに向けられるが、特定のチケットは、引き換え証書、クーポン、入場チケット、招待券、食品引換券又は生活必需品の引換券などであってもよい。
【００３６】
本発明のサービスユニット２５，２６は、店舗、鉄道／バスステーション、ドック、空港、映画館、コンサートホール、パフォーマンスホール、展覧会ホール、ギルドホール、遊園地、カンファレンスホールなど、引き換えられる品物又はサービスを提供するための施設のサイトであってもよい。各サービスユニット２５，２６は、１台以上のチケット確認装置２５１，２６１を備える。単一ウィンドウ又は単一ゲートを有するサービスユニット２５には、１台のチケット確認装置２５１だけが必要であり、複数のウィンドウ又はいくつかのゲートを有するチケット確認装置２６１には、対応する台数のチケット確認装置２６１を提供してもよい。
【００３７】
本発明の一実施形態では、チケット確認装置２５１，２６１の各警告装置２５５，２６５には、サウンド警告装置、ライト警告装置、ディスプレイ又は、その組み合わせのひとつが選択され、チケット確認の結果は、異なる音や光信号の色、言葉、記号などの形でそれぞれ表してもよい。ディスプレイが含まれる場合、関連したチケット情報をさらに表示させて、サービスユニット２５，２６が正しいサービスを提供するように促すことができる。
【００３８】
チケットに対応するチケット情報は、メンバーによってチケットの購入が完了、あるいは、特定のチケットがメンバーに送信されてから、メンバーが長い時間が経ってしまったためにチケット情報を忘れたり混乱したりしないように、例えば、ショートメッセージ、電子メール、投稿メッセージ、印刷又はその組み合わせのうちのひとつを介して、チケットプラットホーム２２５によってメンバーに送信される。各チケットのチケット情報は、チケットのタイプが異なるので互いに異なっていてもよい。チケット情報には、チケットの名前、会社名、サービスユニットの名前、交換する商品、交換可能な量、有効期限、日時、セッション、実行回数、所在地、座席、出発地及び目的地、チェックイン時間、チェックアウト時間又はその組み合わせのうちのひとつを選択することができる。
【００３９】
本発明の一実施形態では、電子チケットシステム２０は、少なくとも１台の特性コードレジスタ２７を備える。各特性コードレジスタ２７は、特性コードリーダ２７１及びキーボード２７３を備える。ユーザが、本発明の電子チケットシステム２０のメンバー申請を希望する場合、ユーザは、特性コードレジスタ２７が設けられている場所で申請することができる。まず、ユーザは、アカウント作成機能を選択し、キーボード２７３を介してメンバーコードを入力しなければならない。次に、ユーザは、特性コードリーダ２７１が特性コードを読み出すために特性コードキャリア２９を提供しなければならない。それにより、アカウントがサーバ２２のメンバープラットホーム２２１に作成される。
【００４０】
アカウントのパスワードは、アカウントが作成されてからメンバープラットホーム２２１が、ショートメッセージ、電子メール、投稿メッセージ、印刷又は音声によってメンバーに送信する。あるいは、メンバーは、キーボード２７３を介してパスワードを入力して確認するよう直接要求される。
【００４１】
ユーザは、ネットワーク２４を経由してサーバ２２に接続する情報装置２８（コンピュータ、ノート型パソコン、スマートフォン、タブレットパーソナルコンピュータ、ｉＰａｄ、携帯情報端末など）を用いることもできる。ユーザは、メンバープラットホーム２２１においてアカウント作成機能を選択してからメンバーコードを入力してアカウントを作成することができる。アカウントのパスワードは、アカウントが作成されてから、メンバープラットホーム２２１が、ショートメッセージ、電子メール、投稿メッセージ、印刷又は音声によってメンバーに送信する。メンバーは、上記のステップが完了してから特性コードレジスタ２７が設けられている場所へ出向き、キーボード２７３を介してメンバーコード及びパスワードを入力し、特性コードリーダ２７１によって読み取られる特性コードを有する特性コードキャリア２９を提供しなければならない。そして、特性コードをメンバーデータベース２２３に記憶すると、アカウント作成の手続きが完了する。
【００４２】
メンバーは、メンバーアカウントが作成されてからコンピュータ、ノート型パソコン、スマートフォン、タブレット型パーソナルコンピュータ、ｉＰａｄ、携帯情報端末などの情報装置２８を用いて、ネットワーク２４を経由してサーバ２２に接続することができ、その後、対応するパスワードを用いてアカウントにログインできる。それによって、アカウント管理、消費問い合わせ、特性コードキャリア２９の変更や停止、特性コードキャリア２９の紛失届などの行動を行うことができる。
【００４３】
本発明の一実施形態では、チケット確認装置２５１は、さらにキーボード２７５を備える。このように、特性コードレジスタの機能をチケット確認装置２５１に統合することができる。
【００４４】
特性コードキャリア２９を破損もしくは紛失した場合、メンバーは、特性コードレジスタ２７又はレジスタ機能を有するチケット確認装置２５１の場所に出向いて、特性コードキャリア２９の紛失届の機能又は特性コードキャリア２９を変更する機能を選択しメンバーコード及びパスワードを入力することができ、古い特性コードキャリアが停止される。新しい特性コードキャリア２９が提供された後で新しい特性コードを特性コードリーダ２７１によって読み取り、カード変更のプロセスが完了する。
【００４５】
本発明の一実施形態では、メンバーコードには、国民識別番号、パスポート番号、電話番号、携帯電話番号、電子メールアドレス、会社登記番号、ユーザ定義アカウント、特定アカウント、バーコード及びその組み合わせのうちのひとつが選択される。アカウントを作成するためには、ユーザ自身が所有する何れか１枚のＩＣカード、何れか１枚のＲＦＩＤカード、ＲＦＩＤタグ、バーコード、２次元バーコード、ＱＲコード又は磁気ストライプカードを、現在の身分証明書、保険証、イージーカード（Ｅａｓｙｃａｒｄ）、アイキャッシュ（ｉＣａｓｈ）カード、台湾スマートカード、オールインワンカード、クレジットカード、デビットカード、キャッシュカード、交通カード、オクトパス（Ｏｃｔｏｐｕｓ）カード、メンバーカード及び特性コードを有する他のタイプのキャリアなどの特性コードキャリアとして用いることができる。特性コードキャリアは、ユーザ自身によって適当な特性コードキャリアが提供されない場合、システム又はサービスユニットによって提供されてもよい。本発明のサービスユニット２６及び特性コードレジスタ２７は、対応するＩＣカードリーダ、ＲＦＩＤタグリーダ、バーコードリーダ、２次元バーコードリーダ、ＱＲコードリーダ、磁気ストライプカードリーダなどを備えるので、対応する特性コードキャリア２９の特性コードを読み取ることができる。
【００４６】
さらに、本発明の電子チケットシステム２０を、食品引換券、生活必需品の引換券などの社会福祉又は社会救済に適用することもできる。サーバ２２に特定の条件を設定することで、チケットプラットホーム２２５が食品引換券又は生活必需品の引換券を特定の条件を満たすメンバーに自動的に発行することもできる。特定の条件を満たすメンバーは、チケットプラットホーム２２５から送信されたチケット情報を受信してから食品や生活必需品と交換するために対応するサービスユニット２５へ特性コードキャリア２９を持って行くことができる。
【００４７】
本発明の一実施形態では、チケットやサービスの一部が安全に交換されることを保証するために、チケット確認装置２５１には、キーボード２５７がさらに提供される。メンバーが、サービスに交換するために特性コードキャリア２９をサービスユニット２５に持って行くと、メンバーは、サービス交換の手続きを完了させるために、特性コードを読み取る特性コードリーダに特性コードキャリア２９を提供することに加えてキーボード２５７を介して正しいパスワードを入力しなければならない。特性コードと照合し、パスワードを確認することによって二重認証の効果が得られる。
【００４８】
本発明の電子チケットシステム２０を用いることで、省エネや炭素ガス削減の効果が得られる。本発明では、メンバーに属する各タイプのチケットが保証され、不正使用やスキミングされることがない。メンバーが特性コードキャリア２９を紛失し、紛失届の手続きが完了した後で不正使用された場合、特性コードキャリア２９は、チケット確認装置２５１，２６２に紛失物として表示させてもよい。このように、違法行為はその場で停止される又は関連した取扱店に転送される。
【００４９】
上記説明は、本発明の一実施形態にすぎず、限定的であると見なされるものではない。本発明の範囲から全く逸脱することなく、添付した請求項に係る形状、構造、特徴及び精神における同等の変形例及び変更例の全てを成すことができる。
【符号の説明】
【００５０】
２０  電子取引及び物流システム
２４  ネットワーク
２６  サービスユニット、
２７  特性コードレジスタ
２８  情報装置
２９  特性コードキャリア
２２１  メンバープラットホーム
２２３  メンバーデータベース
２２５  チケットプラットホーム
２２７  チケットデータベース
２５１，２６１  チケット確認装置
【図１】
2013105487.tif 000003
【図２】
2013105487.tif 000004